(57)【要約】【課題】ルアーに一本の長い針を取り付ける構造につき、新規な構成を提案する。【解決手段】一本の針５の一部を、魚の食い付き時においてはルアー本体２に対して移動自在に係止する針係止手段６を有し、前記針５は、側面視において、ライン４に取り付けられる側の端部である結着部５ａが、前記ルアー本体２の下方であって、リップ３の後方に位置し、かつ、もう一方の端部である針先部５ｂが、前記ルアー本体２のテール部上方に位置するように取り付けられるルアーとする。【選択図】図１
2008113647.tif 000002
【特許請求の範囲】
【請求項１】
一本の針の一部を、魚の食い付き時にルアー本体に対して移動自在に係止する針係止手段を有し、
前記針は、側面視において、ラインに取り付けられる側の端部である結着部が、前記ルアー本体の下方であって、リップの後方に位置し、かつ、もう一方の端部である針先部が、前記ルアー本体のテール部上方に位置するように取り付けられる、ルアー。
【請求項２】
前記針係止手段は、前記針の針胴部を、側面視において前後方向にスライド可能に保持することで、魚の食い付き時の前記ルアー本体に対する針の移動を自在とする、
ことを特徴とする請求項１に記載のルアー。
【請求項３】
前記針係止手段には、前記針胴部の直径よりも狭い隙間が形成され、
前記針係止手段は、魚の食い付き時に前記針に下向きの力がかかった際には、前記針が前記隙間から下方に抜けるように弾性変形する、
ことを特徴とする請求項１又は請求項２に記載のルアー。
【請求項４】
前記ルアー本体には、前記針係止手段と異なる位置に、前記針係止手段を回転中心とする前記針の回転を規制するために、前記針の側部に接する回転規制部材を設ける、
ことを特徴とする請求項１乃至請求項３に記載のルアー。
【請求項５】
前記ラインは、前記リップに固定されるライン係止手段に挿通され、前記ライン係止手段を介して前記リップに固定される、
ことを特徴とする請求項１乃至請求項４のいずれか１項に記載のルアー。
【請求項６】
前記針係止手段を、前記ルアー本体に対して着脱自在に構成する、
ことを特徴とする請求項１乃至請求項５のいずれか１項に記載のルアー。
【請求項７】
前記針を取り外すとともに、前記針係止手段に前記ラインが通されることにより、コンビネーションルアーにおけるハードルアーの機能を呈することとする、
ことを特徴とする請求項１乃至請求項６のいずれか１項に記載のルアー。
【発明の詳細な説明】
【技術分野】
【０００１】  この発明は疑似餌としてのルアーに関し、より詳しくは、ルアー本体に対する針の取り付け構造に関する。
【背景技術】
【０００２】  従来、特許文献１の図２に示すごとく、ハードルアーにおいては、ルアー本体の復習箇所の取り付け部に、２本や３本といった複数に分岐した枝状の針（二本針・三本針）を取り付けたルアーが知られている。分岐した枝状の針は、一般的に、ハードルアー本体の下腹部や、リップと反対側となるルアー後部に取り付けられることとなっている。【０００３】  一方、同じく、特許文献１の図１に示すごとく、ソフトルアーにおいては、ルアー本体に一本のフック状の針を突き刺した構造が知られている。この一本の針は、同文献の段落「００１５」に説明されるように、軟質プラスチック、合成ゴム等を素材とするルアー本体の頭部から突き刺し、ルアー本体内を突き進め、適度なところで針の先端をルアー本体の外に突出させるようにして取り付けられる。
【特許文献１】登録実用新案第３０１９３４４号公報
【発明の開示】
【発明が解決しようとする課題】
【０００４】  ハードルアーにおける前述の分岐した枝状の針は、魚が食い付いた後の引っ掛かりを良好に維持するため、針の長さを長く、また針自身の湾曲径を大きく構成することが望ましい。ところが、その針の先端がルアー本体から遠く離れるようになると、針がルアー本体に吊り下げられて、先端がルアー本体の下に位置するということから、藻等の障害物を引っ掛けてしまう確立が高くなってしまう。
他方、前述のソフトルアーのフック状の針をハードルアーに適用することが検討される。一本のフック状の長い針をハードルアーに取り付けることによれば、魚が食い付いた後の引っ掛かりを良好に維持することができるからである。
しかし、ハードルアー本体に、針を突き刺すことはできず、また、長い一本のフック状の針をルアー本体から単純に吊り下げるようにして取り付けた構成であると、ふらつく等して、藻等の障害物を引っ掛ける確立が高くなってしまう。さらに、魚の食い付きも悪くなってしまう。【０００５】  そこで、本発明は、ルアーに一本の長い針を取り付ける構造につき、新規な構成を提案するものである。
【課題を解決するための手段】
【０００６】  本発明の解決しようとする課題は以上の如くであり、次にこの課題を解決するための手段を説明する。【０００７】  即ち、請求項１に記載のごとく、
一本の針の一部を、魚の食い付き時にルアー本体に対して移動自在に係止する針係止手段を有し、
前記針は、側面視において、ラインに取り付けられる側の端部である結着部が、前記ルアー本体の下方であって、リップの後方に位置し、かつ、もう一方の端部である針先部が、前記ルアー本体のテール部上方に位置するように取り付けられるものである。【０００８】  また、請求項２に記載のごとく、
前記針係止手段は、前記針の針胴部を、側面視において前後方向にスライド可能に保持することで、魚の食い付き時の前記ルアー本体に対する針の移動を自在とすることとするものである。【０００９】  また、請求項３に記載のごとく、
前記針係止手段には、前記針胴部の直径よりも狭い隙間が形成され、前記針係止手段は、魚の食い付き時に前記針に下向きの力がかかった際には、前記針が前記隙間から下方に抜けるように弾性変形することとするものである。【００１０】  また、請求項４に記載のごとく、
前記ルアー本体には、前記針係止手段と異なる位置に、前記針係止手段を回転中心とする前記針の回転を規制するために、前記針の側部に接する回転規制部材を設けることとするものである。【００１１】  また、請求項５に記載のごとく、
前記ラインは、前記リップに固定されるライン係止手段に挿通され、前記ライン係止手段を介して前記リップに固定されることとするものである。【００１２】  また、請求項６に記載のごとく、
前記針係止手段を、ルアー本体に対して着脱自在に構成することとするものである。【００１３】  また、請求項７に記載のごとく、
前記針を取り外すとともに、前記針係止手段に前記ラインが通されることにより、コンビネーションルアーにおけるハードルアーの機能を呈することとするものである。
【発明の効果】
【００１４】  本発明の効果として、以下に示すような効果を奏する。【００１５】  即ち、請求項１乃至請求項３においては、魚の食い付き時においては、針がルアー本体に対して固定されず、自由に動くことが可能となり、長い一本の針にて魚を引っ掛ける状態を形成することができ、これにより、魚が食い付いた後の引っ掛かりを良好に維持することができるようになる。【００１６】  また、請求項４においては、藻等の障害物を引っ掛けてしまう確立を低くすることができる。【００１７】  また、請求項５においては、
ルアー本体に対する針の相対位置を設定することができる。【００１８】  また、請求項６においては、
針係止手段が損傷した際には、容易に交換することができる。【００１９】  また、請求項７においては、
前記針先部をルアー本体のテール部上方を確実に配置し、その状態を維持することができるようになり、藻等の障害物を引っ掛ける確立を低く抑えることができる。
【発明を実施するための最良の形態】
【００２０】  図１乃至図４に、実施例の構成を示す。
ルアー１（ハードルアー）のルアー本体２の頭部には、リップ３が設けられており、前記リップ３に設けた貫通穴３ａにライン４が挿通されるようになっている。前記ライン４の端部には、一本のフック状の針５が取り付けられる。【００２１】  また、図２に示すごとく、前記リップ３の貫通穴３ａは、前方側（ルアーの進行方向側）が細くなる円錐形状としており、この円錐形状部分に、ゴム製のライン係止手段８が挿嵌されるようになっている。このライン係止手段８には、ライン４を挿通させる貫通穴８ａが設けられており、ライン４を挿通させた状態で、ライン係止手段８を貫通穴３ａに貫装すると、前記貫通穴８ａの径が縮まって、ライン４のライン係止手段８に対する移動が規制されるようになっている。このようにして、ライン４がライン係止手段８を介してリップ３に固定されるようになっている。
このように、ライン４がライン係止手段８を介してリップ３に固定されることにより、ルアー本体２に対する針５の相対位置を設定することができる。【００２２】  また、図２に示すごとく、前記貫通穴３ａの円錐形状において、その内側面に溝部３ｂを設ける一方、前記ライン係止手段８に前記溝部３ｂに挿嵌される係合部８ｂを設けることとし、前記貫通穴３ａに対してライン係止手段８をしっかりと固定できるようにしている。また、前記溝部３ｂ・係合部８ｂの構成により、前記貫通穴８ａの中心を軸とするライン係止手段８の回転が規制され、これにより、前記ライン４の回転や、前記針５の回転も規制できるようになっている。
尚、前記ライン係止手段８は、ゴム製とする他、弾性変形する樹脂製や金属製とすることも可能である。【００２３】  また、図１に示すごとく、前記ライン４の先端には、針５が取り付けられている。この針５は、図１の側面視において、ライン４に取り付けられる側の端部である結着部５ａが、ルアー１のルアー本体２の下方であって、前記リップ３の後方に位置し、かつ、もう一方の端部である針先部５ｂが、ルアー１のルアー本体２のテール部上方に位置するように取り付けられる。【００２４】  また、図１に示すごとく、この針５につき、前記結着部５ａと前記針先部５ｂの間については、前記ルアー本体２の下腹部のカーブに沿って緩やかに曲がる針胴部５ｃと、前記ルアー本体２のテール部の周囲を取り囲むように曲がる湾曲部５ｄにて構成されている。
本実施例では、ルアー１のルアー本体２は、側面視において略楕円形状とされており、このルアー本体２の周囲を取り囲むように構成されている針５は、側面視において、略「Ｊ」字形状をなすこととなっている。【００２５】  また、図１に示すごとく、前記ルアー１のルアー本体２のテール部下側となる位置、即ち、ルアー本体２の側面視において、前後方向中途部よりも後方の下部には、前記針５の針胴部５ｃを係止するための針係止手段６が設けられている。
本実施例においては、図３に示すごとく、この針係止手段６には、前記針胴部５ｃを前後方向に貫装するための貫通穴６ａが設けられている。
この貫通穴６は、上側が離れ合う一方、下側が互いに近づけられるように構成された左右一対のクリップ部６ｂ・６ｃによって形成されている。また、この貫通穴６ａ内において、前記針５の針胴部５ｃが、側面視において前後方向にスライドすることが可能となっている。【００２６】  また、図３に示すごとく、前記クリップ部６ｂ・６ｃの両下端部６ｅ・６ｆの間には、前記針胴部５ｃの直径よりも狭い隙間６ｄが形成される。
また、前記クリップ部６ｂ・６ｃの下端部６ｅ・６ｆは、魚が食い付いていない通常時においては、前記針胴部５ｃの下部を確実に支えることを可能としている。
また、前記下端部６ｅ・６ｆは、魚が食い付いて針５全体に力がかかったときには、前記針胴部５ｃが前記隙間６ｄを通して、図において下方に抜けるように弾性変形するようになっている。【００２７】  そして、以上の構成することにより、魚が食い付いた時には、ルアー本体２に対して針５が前後方向にスライドすることや、ルアー本体２から下方に抜けることで別々になるといったように、針５が移動自在に係止される構成となっている。そして、これにより、魚の食い付き時においては、針５がルアー本体２に対して固定されず、自由に動くことが可能となり、長い一本の針にて魚を引っ掛ける状態を形成することができる。
尚、貫通穴６へ針５を通すには、前記針胴部５ｃを隙間６ｄに通して直接挿入することや、針５の結着部５ａを貫通穴６ａに挿入し、そのまま結着部５ａを前方に移動させることによって行うことができる。【００２８】  また、図３に示すごとく、前記下端部６ｅ・６ｆでの弾性変形を可能にするために、針係止手段６全体を、ゴム、樹脂等の弾性部材から構成することができる。この場合、耐用期間が短くなるものと考えられるため、針係止手段６は、ルアー本体２に対し着脱自在に構成することが望ましい。また、着脱自在とすることで、前記針５のサイズ（直径）に合わせた針係止手段６と取り付けることも可能となる。【００２９】  例えば、図３に示すごとく、針係止手段６にルアー本体２に形成した溝部２ｍに挿入する挿入部６ｍを設ける構成とすることにより、ルアー本体２に対する針係止手段６の着脱を容易に構成することができる。この挿入部６ｍは、本実施例では板状とし、溝部２ｍも対応する形状とするものであるが、実施における具体的な形状については、特に限定されるものではない。
尚、針係止手段６は、ルアー１のルアー本体２と一体構成としてもよく、また、弾性変形を呈する金属で構成してもよい。【００３０】  また、前記係止手段６は、水の抵抗を少なくするため、その突出量はできるだけ少なく抑えることが望ましい。【００３１】  また、図１に示すごとく、ルアー１のルアー本体２において、前記針係止手段６と異なる位置に、前記針係止手段６を回転中心とする前記針５の回転を規制するために、針５の一部（本実施例では、湾曲部５ｄ）の両側部に接する回転規制部材８を設けることとしてもよい。これにより、前記針先部５ｂをルアー本体２のテール部上方を確実に配置し、その状態を維持することができるようになり、藻等の障害物を引っ掛ける確立を低く抑えることができる。【００３２】  本実施例では、図１に示すごとく、この回転規制部材８を平面視において後方が開放される深さの浅い溝部８ａが形成され、魚が食い付いた時においては、容易に針５が前記溝部８ａから外れる構成としており、魚の食い付き時において、ルアー本体２に対しする針５の固定が解除され、一本の長い針５による魚との引っ掛かりの状態を良好に維持できることを可能としている。【００３３】  尚、前記回転規制部材８の具体的な構成は、特に限定されるものではなく、食い付き時にすぐに針５が開放される形態であればよい。また、ルアー本体２と着脱自在に構成することや、ルアー本体２の一部として一体的に成形するなど、さらには、二つの別体の部材で、二箇所において針の左右の側部のそれぞれに接する構成とする等、その構成については、特に限定されるものではない。【００３４】  以上がルアーの実施例である。
即ち、一本の針５の一部を、魚の食い付き時にルアー本体２に対して移動自在に係止する針係止手段６を有し、
前記針５は、側面視において、ライン４に取り付けられる側の端部である結着部５ａが、前記ルアー本体２の下方であって、リップ３の後方に位置し、かつ、もう一方の端部である針先部５ｂが、前記ルアー本体２のテール部上方に位置するように取り付けられるものである。【００３５】  そして、以上のようなルアー１の構成とすることで、次のような効果を得ることができる。
即ち、図１に示すごとく、魚の食い付き時においては、針５がルアー本体２に対して固定されず、自由に動くことが可能となり、長い一本の針にて魚を引っ掛ける状態を形成することができ、これにより、魚が食い付いた後の引っ掛かりを良好に維持することができるようになる。【００３６】  また、図１に示すごとく、長い一本の針５を、魚が食い付くまでは、前記針係止手段６によって、針５はルアー本体２に係止され、ふらつくことがないため、藻等の障害物を引っ掛ける確立を低くすることができる。また、ふらつきの減少によって、魚の食い付きを良好とすることができる。【００３７】  また、図１に示すごとく、長い一本の針５を湾曲させて、ルアー本体２の周囲を取り囲むようにしているため、ルアー本体２と針５との一体感を構成することができ、魚の食い付きを良好とすることができる。また、魚の食い付き時において、魚の口内への吸い込みがスムーズに行われ、これにより、口内奥まで針５を挿入させることができ、このことによっても、食い付き後の引っ掛かりを良好なものとすることができる。【００３８】  また、図１に示すごとく、長い一本の針５の針先部５ｂは、ルアー本体２の上側に配置される構成とすることで、藻等の障害物を引っ掛けてしまう確立を低くすることができる。【００３９】  また、図１に示すごとく、前記ライン４と前記針５とが直接的に接続されている、つまりは、ルアー本体２やリップ３等の別部材を介していないので、魚が食い付いた際に釣り竿に伝わる感度を良好なものとすることができる。【００４０】  また、図２に示すごとく、ライン４がライン係止手段８を介してリップ３に固定されることにより、ルアー本体２に対する針５の相対位置を設定することができる。【００４１】  また、図３に示すごとく、前記針係止手段６を、ルアー本体２に対して着脱自在に構成することにより、針係止手段６が損傷した際には、容易に交換することができる。【００４２】  また、図１に示すごとく、ルアー本体２において、前記針係止手段６と異なる位置に、前記針係止手段６を回転中心とする前記針５の回転を規制するために、針５の一部（本実施例では、湾曲部５ｄ）の両側部に接する回転規制部材８を設けることにより、前記針先部５ｂをルアー本体２のテール部上方を確実に配置し、その状態を維持することができるようになり、藻等の障害物を引っ掛ける確立を低く抑えることができる。【００４３】  さらに、以上の例では、ルアー１単体として用いる構成を説明したが、図４に示すごとく、ソフトルアー２１を共に用いることにより、コンビネーションルアーを構成してもよい。
この場合においては、前記針係止手段６には、ライン４を通すこととするものであり、また、前記クリップ部６ｂ・６ｃの下端部６ｅ・６ｆについては、ライン４の切れを防止するために、ゴム等の柔らかい部材で構成することが望ましい。
【図面の簡単な説明】
【００４４】
【図１】  ハードルアーの構成を示す側面図。
【図２】  リップとライン係止部材の構造について示す図。
【図３】  針係止手段の構造について示す図。
【図４】  コンビネーションルアーとして利用する実施例について示す図。
【符号の説明】
【００４５】  １    ハードルアー
２    ルアー本体
３    リップ
４    ライン
５    針
５ａ  結着部
５ｂ  針先部
５ｃ  針胴部
５ｄ  湾曲部
６    針係止手段
７    ライン係止手段
８    回転規制部材
【図１】
2008113647.tif 000003
【図２】
2008113647.tif 000004
【図３】
2008113647.tif 000005
【図４】
2008113647.tif 000006